(57)【要約】      （修正有）【課題】粘着剤液体を二重瞼形成用テープへ速やか且つ均一に拡散させ、容易に包装することができる粘着剤付き二重瞼形成用テープを提供する。【解決手段】粘着剤付き二重瞼形成用テープは、密封包装袋１と、テープユニット２と、粘着剤カプセル３とを備える。密封包装袋１は、収納空間１１を有する。テープユニット２は、収納空間１１に収納されるとともに、フィルム２１と、フィルム２１に貼り合わせて切取ることができる少なくとも１枚の二重瞼形成用テープ２２とを有する。粘着剤カプセル３は、収納空間１１に収納される。粘着剤カプセル３内には、予め粘着剤が充填され、粘着剤カプセル３が圧し潰されて破裂すると、粘着剤がテープユニット２へ直接流出する。【選択図】図１
0003210999.tif 000002
【実用新案登録請求の範囲】
【請求項１】
密封包装袋と、テープユニットと、粘着剤カプセルとを備えた粘着剤付き二重瞼形成用テープであって、
前記密封包装袋は、収納空間を有し、
前記テープユニットは、前記収納空間に収納されるとともに、フィルムと、前記フィルムに貼り合わせて切取ることができる少なくとも１枚の二重瞼形成用テープと、を有し、
前記粘着剤カプセルは、前記収納空間に収納され、
前記粘着剤カプセル内には、予め粘着剤が充填され、前記粘着剤カプセルが圧し潰されて破裂すると、前記粘着剤が前記テープユニットへ直接流出することを特徴とする粘着剤付き二重瞼形成用テープ。
【請求項２】
前記粘着剤カプセルは、前記二重瞼形成用テープ上に積層されることを特徴とする請求項１に記載の粘着剤付き二重瞼形成用テープ。
【請求項３】
前記密封包装袋は、第１の包装フィルム及び第２の包装フィルムを有し、
前記第１の包装フィルムと前記第２の包装フィルムとは周縁で結合され、
前記第１の包装フィルムと前記第２の包装フィルムとの間には、前記収納空間が形成されていることを特徴とする請求項１に記載の粘着剤付き二重瞼形成用テープ。
【請求項４】
前記収納空間の空気が抜かれると、前記第１の包装フィルム及び前記第２の包装フィルムが圧縮され、前記第１の包装フィルム及び前記第２の包装フィルムにより前記テープユニット及び前記粘着剤カプセルが覆われることを特徴とする請求項３に記載の粘着剤付き二重瞼形成用テープ。
【請求項５】
前記密封包装袋は、複数並べられ、
前記密封包装袋間には、各前記密封包装袋を分離する切取り線が設けられていることを特徴とする請求項１又は３に記載の粘着剤付き二重瞼形成用テープ。
【請求項６】
前記テープユニットの前記フィルム上には、複数枚の前記二重瞼形成用テープが貼り合わされていることを特徴とする請求項１に記載の粘着剤付き二重瞼形成用テープ。
【請求項７】
前記フィルムは、離型紙又は離型フィルムであることを特徴とする請求項１又は６に記載の粘着剤付き二重瞼形成用テープ。
【請求項８】
前記二重瞼形成用テープはメッシュ状二重瞼形成用テープであることを特徴とする請求項１又は６に記載の粘着剤付き二重瞼形成用テープ。
【請求項９】
前記粘着剤カプセル内には、チャンバが形成され、
前記チャンバには、前記粘着剤が充填され、
前記粘着剤カプセルの一面には、前記粘着剤が流出する破裂口が形成されていることを特徴とする請求項１又は２に記載の粘着剤付き二重瞼形成用テープ。
【請求項１０】
前記粘着剤カプセル内には、２個以上のチャンバが形成され、
各前記チャンバには、前記粘着剤がそれぞれ充填され、
前記粘着剤カプセルには、前記チャンバに対応して前記粘着剤が流出する破裂口がそれぞれ形成されていることを特徴とする請求項１又は２に記載の粘着剤付き二重瞼形成用テープ。
【考案の詳細な説明】
【技術分野】
【０００１】
本考案は、二重瞼形成用テープに関し、特に、粘着剤を二重瞼形成用テープとともに包装し、二重瞼形成用テープに粘着剤を容易に塗ることができる粘着剤付き二重瞼形成用テープの包装構造に関する。
【背景技術】
【０００２】
二重瞼形成用テープを上まぶたに貼付けると二重瞼が形成され、使用者の目を大きく魅力的に見せることができる。従来の二重瞼形成用テープは大きく二つに区分され、第１としては自己粘着性テープがあり、それは切取って粘着させることができるが、その粘着性には限界があるため外れ易い上、テープの存在に気づかれて不自然に見えることがあった。第２としてはメッシュ状二重瞼形成用テープがあり、それはシークレット二重瞼形成用テープとも称され、それ自体は粘着性を備えず、使用する前に、まず、粘着剤（糊）をテープに塗布してから、ピンセットなどで剥がしてまぶたに貼り付けて使用する。そのため、粘着効果が高くて外れにくい上、メッシュ状構造をアイシャドウで隠して自然に見せることもできる。
【０００３】
しかし、従来のメッシュ状二重瞼形成用テープは、粘着剤（糊）１瓶を別途用意しなければならない上、自ら手作業で粘着剤を塗らなければならないため、粘着工程に手間がかかり、粘着剤が他の物品に不用意に粘着してしまう虞もあった。特に、瓶詰めの粘着剤は携帯することが不便であり、法令により税関の許可が得られずに廃棄される虞もあった。そのため、粘着剤を二重瞼形成用テープとともに包装するか、小型のビニール袋で代替し、１枚毎又は１対の二重瞼形成用テープに適量の粘着剤を塗布する場合、使用の際に粘着剤袋を引き裂いてから、ブラシにより二重瞼形成用テープに粘着剤を塗布すれば、上述したような瓶詰粘着剤の欠点を改善することができるが、粘着剤を使用するビニール袋を包装する包装工程は簡素でなく、技術的難易度が高い上、ブラシを使用する必要があったため、使用が容易でないという問題点を改善することはできなかった。
【０００４】
上述したような従来技術の問題点を改善するために、本考案者は、ブラシを使用せずに手を汚さないで迅速かつ簡便に使用できる上、粘着剤液体を二重瞼形成用テープへ速やか且つ均一に拡散させ、容易に包装できる粘着剤付き二重瞼形成用テープの包装構造を開発した。
【考案の概要】
【考案が解決しようとする課題】
【０００５】
本考案の主な目的は、ブラシを使用せずに手を汚さないで迅速かつ簡便に使用できる上、粘着剤液体を二重瞼形成用テープへ速やか且つ均一に拡散させ、容易に包装することができる粘着剤付き二重瞼形成用テープの包装構造を提供することにある。
【課題を解決するための手段】
【０００６】
上記課題を解決するために、本考案の第１の形態によれば、密封包装袋と、テープユニットと、粘着剤カプセルとを備えた粘着剤付き二重瞼形成用テープであって、前記密封包装袋は、収納空間を有し、前記テープユニットは、前記収納空間に収納されるとともに、フィルムと、前記フィルムに貼り合わせて切取ることができる少なくとも１枚の二重瞼形成用テープと、を有し、前記粘着剤カプセルは、前記収納空間に収納され、前記粘着剤カプセル内には、予め粘着剤が充填され、前記粘着剤カプセルが圧し潰されて破裂すると、前記粘着剤が前記テープユニットへ直接流出することを特徴とする粘着剤付き二重瞼形成用テープが提供される。
【０００７】
前記粘着剤カプセルは、前記二重瞼形成用テープ上に積層されることが好ましい。
【０００８】
前記密封包装袋は、第１の包装フィルム及び第２の包装フィルムを有し、前記第１の包装フィルムと前記第２の包装フィルムとは周縁で結合され、前記第１の包装フィルムと前記第２の包装フィルムとの間には、前記収納空間が形成されていることが好ましい。
【０００９】
前記収納空間の空気が抜かれると、前記第１の包装フィルム及び前記第２の包装フィルムが圧縮され、前記第１の包装フィルム及び前記第２の包装フィルムにより前記テープユニット及び前記粘着剤カプセルが覆われることが好ましい。
【００１０】
前記密封包装袋は、複数並べられ、前記密封包装袋間には、各前記密封包装袋を分離する切取り線が設けられていることが好ましい。
【００１１】
前記テープユニットの前記フィルム上には、複数枚の前記二重瞼形成用テープが貼り合わされていることが好ましい。
【００１２】
前記フィルムは、離型紙又は離型フィルムであることが好ましい。
【００１３】
前記二重瞼形成用テープはメッシュ状二重瞼形成用テープであることが好ましい。
【００１４】
前記粘着剤カプセル内には、チャンバが形成され、前記チャンバには、前記粘着剤が充填され、前記粘着剤カプセルの一面には、前記粘着剤が流出する破裂口が形成されていることが好ましい。
【００１５】
前記粘着剤カプセル内には、２個以上のチャンバが形成され、各前記チャンバには、前記粘着剤がそれぞれ充填され、前記粘着剤カプセルには、前記チャンバに対応して前記粘着剤が流出する破裂口がそれぞれ形成されていることが好ましい。
【考案の効果】
【００１６】
本考案の粘着剤付き二重瞼形成用テープの包装構造は、以下（１）〜（３）の効果を有する。
（１）手を汚さずに、粘着剤カプセルに予め粘着剤を充填しておき、使用する際、粘着剤カプセルを圧し潰して破裂させると、粘着剤の液体が二重瞼形成用テープまで拡散されるため、粘着剤を塗布する必要がなく、粘着剤により手が汚れる問題点を改善することができる。
（２）簡便に使用でき、粘着剤の液体を均一かつ速やかに二重瞼形成用テープへ拡散させることができ、粘着剤カプセルを圧し潰して破裂させるだけで、包装袋内が空気が無い状態となって粘着剤が収容空間に拡散され、二重瞼形成用テープへ均一に塗布される。
（３）粘着剤の液体が予め粘着剤カプセル内に包装されているため、容易に粘着剤カプセルを包装して包装袋に入れることができる（例えば、全自動化包装工程などで包装工程を行うことができる）。
【図面の簡単な説明】
【００１７】
【図１】本考案の第１実施形態に係る粘着剤付き二重瞼形成用テープの包装構造を示す斜視図である。
【図２】本考案の第１実施形態に係る粘着剤付き二重瞼形成用テープの包装構造を示す分解斜視図である。
【図３】本考案の第１実施形態に係る粘着剤付き二重瞼形成用テープの包装構造を示す断面図である。
【図４】本考案の第１実施形態に係る粘着剤付き二重瞼形成用テープの包装構造の使用状態の説明図である。
【図５】本考案の第２実施形態に係る粘着剤付き二重瞼形成用テープの包装構造を示す正面視図である。
【図６】本考案の第３実施形態に係る粘着剤付き二重瞼形成用テープの包装構造を示す正面図である。
【図７】本考案の他の実施形態に係る粘着剤付き二重瞼形成用テープが連続的に包装された状態を示す正面図である。
【考案を実施するための形態】
【００１８】
以下、本考案を実施形態に基づいて、より具体的に説明する。但し、本考案はこれらの実施形態に何ら限定されるものではない。
【００１９】
図１〜図３を参照する。図１〜図３に示すように、本考案の第１実施形態に係る粘着剤付き二重瞼形成用テープは、少なくとも密封包装袋１と、テープユニット２と、粘着剤カプセル３とから構成されてなる。密封包装袋１内には、テープユニット２及び粘着剤カプセル３を包装する収納空間１１が形成されている。テープユニット２は、密封包装袋１の収納空間１１に収納される。テープユニット２は、フィルム２１と、フィルム２１に貼り合わせて切取ることができる少なくとも１枚の二重瞼形成用テープ２２と、を有する。粘着剤カプセル３は、密封包装袋１の収納空間１１に収納される。粘着剤カプセル３は、テープユニット２の二重瞼形成用テープ２２上に積層される。粘着剤カプセル３は、圧し潰されると破裂する軟質中空バッグであり、その形状は円形、多角形その他の如何なる形状でもよく、予め粘着剤カプセル３内に粘着剤４を充填しておく。粘着剤４が押し出されると、粘着する液体（糊）が二重瞼形成用テープ２２に付着する。
【００２０】
図３及び図４を参照する。図３及び図４に示すように、本考案の第１実施形態に係る粘着剤付き二重瞼形成用テープは、使用者が密封包装袋１及び粘着剤カプセル３を圧し潰すと粘着剤カプセル３が破裂し、粘着剤４がテープユニット２へ直接流出し、二重瞼形成用テープ２２に粘着剤４が付着する。さらに詳細には、使用者が二重瞼形成用テープ２２を粘着して二重瞼を形成する際、密封包装袋１を引き裂く前に、まず、指で密封包装袋１及び粘着剤カプセル３を圧し潰すと、粘着剤カプセル３が破裂し、粘着剤４の液体が収納空間１１内で二重瞼形成用テープ２２まで拡散した後、使用者が密封包装袋１の外側を押圧すると粘着剤４の液体を二重瞼形成用テープ２２に均一に付着させることができる。その後、密封包装袋１を引き裂き、ピンセットなどの工具を用いてテープユニット２を取出し、ピンセットなどの工具を用いてテープユニット２のフィルム２１上から二重瞼形成用テープ２２を取出し、既に二重瞼形成用テープ２２に粘着剤４の液体が付着しているため、瞼上に直接貼り付けることができる。
【００２１】
図２を参照する。図２に示すように、上述の密封包装袋１は、第１の包装フィルム１２及び第２の包装フィルム１３を有することが好ましい。第１の包装フィルム１２及び第２の包装フィルム１３は、透明なプラスチックフィルムでもよく、熱圧着方式又は粘着方式により第１の包装フィルム１２と第２の包装フィルム１３とは周縁で結合され、第１の包装フィルム１２と第２の包装フィルム１３との間に収納空間１１が形成される。第１の包装フィルム１２及び第２の包装フィルム１３の隅部分には、一部が結合されていない引き裂き部１４が設けられ（図１を参照する）、第１の包装フィルム１２と第２の包装フィルム１３とが分離されやすくなっているか、密封包装袋１の一辺に切欠き部１５が設けられ（図５を参照する）、密封包装袋１の一端を破り裂いてテープユニット２が取出しやすくなっている。図３を参照する。図３に示すように、密封包装袋１の収納空間１１を包装する際、空気を抜くと第１の包装フィルム１２及び第２の包装フィルム１３が圧縮され、第１の包装フィルム１２及び第２の包装フィルム１３によりテープユニット２及び粘着剤カプセル３が覆われるため、粘着剤カプセル３が圧し潰されて破裂すると、粘着剤４の液体が収納空間１１内で速やかに拡散する。また、図７に示すように、本考案の他の実施形態に係る粘着剤付き二重瞼形成用テープは、複数並べた密封包装袋１を含む。密封包装袋１間には、各密封包装袋１を互いに分離する切取り線１６が設けられているため、連続包装工程において包装されたテープユニット２及び粘着剤カプセル３を使用者自ら取り出すことができる。
【００２２】
本実施形態の上述した二重瞼形成用テープ２２はメッシュ状二重瞼形成用テープ又は別のタイプの二重瞼形成用テープであり、図１に示すように、テープユニット２の１枚のフィルム２１上に１枚の二重瞼形成用テープ２２を貼り合わしてもよいし、図５に示すように、両目に同時に使用できるように、１枚のフィルム２１上に２枚の二重瞼形成用テープ２２を貼り合わしてもよい。或いは、図６に示すように、密封包装袋１の収納空間１１内に、２枚のテープユニット２が同時に包まれてもよい。各テープユニット２のフィルム２１上には、１枚又は複数枚の二重瞼形成用テープ２２が貼り合わされている。上述のフィルム２１は、二重瞼形成用テープ２２が取り外しやすいように、離型紙又は離型フィルムからなってもよい。
【００２３】
図２及び図３を参照する。図２及び図３に示すように、本考案の第１実施形態に係る粘着剤付き二重瞼形成用テープの粘着剤カプセル３は、可溶性ゼラチン又はその他の材料をカバー材料として用いるカプセル体であり、その内部には閉止したチャンバ３１が形成されている。チャンバ３１には、予め粘着剤４が充填され、粘着剤カプセル３の一面には、粘着剤４を一定方向で流出させる破裂口３２が形成されている。破裂口３２は、カプセル壁が薄い構造であるか、予め加工された破裂凹孔であるため、押圧されると破裂口３２から粘着剤４の液体が押出される。また、図６に示すように、上述した密封包装袋１の収納空間１１内には、２枚のテープユニット２が同時に包装される。粘着剤カプセル３'内には、２個以上のチャンバ３１'が形成される。各チャンバ３１'には、粘着剤４の液体が充填される。粘着剤カプセル３'には、チャンバ３１'に対応して粘着剤４を流出させる破裂口がそれぞれ形成されている。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１  密封包装袋
２  テープユニット
３  粘着剤カプセル
３'  粘着剤カプセル
４  粘着剤
１１  収納空間
１２  第１の包装フィルム
１３  第２の包装フィルム
１４  引き裂き部
１５  切欠き部
１６  切取り線
２１  フィルム
２２  二重瞼形成用テープ
３１  チャンバ
３１'  チャンバ
３２  破裂口
【図１】
0003210999.tif 000003
【図２】
0003210999.tif 000004
【図３】
0003210999.tif 000005
【図４】
0003210999.tif 000006
【図５】
0003210999.tif 000007
【図６】
0003210999.tif 000008
【図７】
0003210999.tif 000009